(57)【要約】【課題】長尺物を納まり良く収納し得る収納装置を提供する。【解決手段】収納装置１は、左右両側のそれぞれに上下に間隔を空けて設けられ、棚板３０を取外可能に保持する複数の棚板保持部２６，２６と、棚板を保持していない前記棚板保持部を覆うように該棚板保持部に取外可能に取り付けられるキャップ部材５０，５０と、左右両側の前記棚板保持部にそれぞれ取り付けられる左右両側の前記キャップ部材に保持される吊下部材４０と、を備えている。【選択図】図１
2014221090.tif 000002
【特許請求の範囲】
【請求項１】
左右両側のそれぞれに上下に間隔を空けて設けられ、棚板を取外可能に保持する複数の棚板保持部と、
棚板を保持していない前記棚板保持部を覆うように該棚板保持部に取外可能に取り付けられるキャップ部材と、
左右両側の前記棚板保持部にそれぞれ取り付けられる左右両側の前記キャップ部材に保持される吊下部材と、
を備えていることを特徴とする収納装置。
【請求項２】
請求項１において、
前記吊下部材は、左右両側の前記キャップ部材に保持された状態で、その吊下部がこれら左右両側のキャップ部材よりも上方側に位置するように配設される構造とされていることを特徴とする収納装置。
【請求項３】
請求項１または２において、
前記吊下部材は、前後方向に延びるように形成された棒状係合部を左右両側に有しており、
前記キャップ部材には、前記吊下部材の棒状係合部を受け入れる係合凹部が左右方向外方に向けて開口するように設けられていることを特徴とする収納装置。
【請求項４】
請求項３において、
前記吊下部材は、両側の前記棒状係合部の一端部同士を接続するように設けられた第１棒状吊下部と、両側の前記棒状係合部の他端部同士を接続するように設けられた第２棒状吊下部と、を備えていることを特徴とする収納装置。
【請求項５】
請求項１乃至４のいずれか１項において、
前方に開口する箱体と、上下方向に沿う軸廻りに少なくとも１８０°回転自在に前記箱体に設けられ、両側の縦枠部に前記棚板保持部を設けた枠体と、を備えていることを特徴とする収納装置。
【請求項６】
請求項５において、
前記棚板保持部は、前記縦枠部の前後両側または前後一方側に突出するように該縦枠部に設けられており、
前記キャップ部材には、前記棚板保持部の突出部の外側面側を覆う外側カバー部が設けられていることを特徴とする収納装置。
【発明の詳細な説明】
【技術分野】
【０００１】
本発明は、上下方向に多段に配設される複数の棚板を備えた収納装置に関する。
【背景技術】
【０００２】
従来より、複数の棚板を上下方向に多段に配設した収納装置が知られている。例えば、下記特許文献１では、靴などの被収納物を収納する複数の棚板を備えた収納装置が提案されている。
【先行技術文献】
【特許文献】
【０００３】
【特許文献１】特開平１０−１７９２７７号公報
【発明の概要】
【発明が解決しようとする課題】
【０００４】
ところで、このような収納装置に、例えば、ブーツ（長靴）や傘等の棚板間の寸法よりも長尺な物品を収納する場合には、いずれかの棚板を取り外して収納することも考えられるが、倒れ易くなることが考えられ、更なる改善が望まれる。
【０００５】
本発明は、上記実情に鑑みてなされたものであり、長尺物を納まり良く収納し得る収納装置を提供することを目的としている。
【課題を解決するための手段】
【０００６】
上記目的を達成するために、本発明に係る収納装置は、左右両側のそれぞれに上下に間隔を空けて設けられ、棚板を取外可能に保持する複数の棚板保持部と、棚板を保持していない前記棚板保持部を覆うように該棚板保持部に取外可能に取り付けられるキャップ部材と、左右両側の前記棚板保持部にそれぞれ取り付けられる左右両側の前記キャップ部材に保持される吊下部材と、を備えていることを特徴とする。
【０００７】
本発明においては、前記吊下部材を、左右両側の前記キャップ部材に保持された状態で、その吊下部がこれら左右両側のキャップ部材よりも上方側に位置するように配設される構造としてもよい。
また、本発明においては、前記吊下部材を、前後方向に延びるように形成された棒状係合部を左右両側に有したものとし、前記キャップ部材に、前記吊下部材の棒状係合部を受け入れる係合凹部を左右方向外方に向けて開口するように設けてもよい。
また、本発明においては、前記吊下部材を、両側の前記棒状係合部の一端部同士を接続するように設けられた第１棒状吊下部と、両側の前記棒状係合部の他端部同士を接続するように設けられた第２棒状吊下部と、を備えたものとしてもよい。
また、本発明においては、前方に開口する箱体と、上下方向に沿う軸廻りに少なくとも１８０°回転自在に前記箱体に設けられ、両側の縦枠部に前記棚板保持部を設けた枠体と、を備えていてもよい。
また、本発明においては、前記棚板保持部を、前記縦枠部の前後両側または前後一方側に突出するように該縦枠部に設け、前記キャップ部材に、前記棚板保持部の突出部の外側面側を覆う外側カバー部を設けてもよい。
【発明の効果】
【０００８】
本発明に係る収納装置は、上述のような構成としたことで、長尺物を納まり良く収納することができる。
【図面の簡単な説明】
【０００９】
【図１】本発明の一実施形態に係る収納装置の一例を模式的に示す概略斜視図である。
【図２】同収納装置の一部を省略した一部破断概略側面図である。
【図３】図２におけるＸ−Ｘ線矢視に対応させた一部を省略した一部破断概略縦断面図である。
【図４】（ａ）、（ｂ）は、同収納装置の一部を省略した概略平面図である。
【図５】（ａ）、（ｂ）は、同収納装置が備える棚板の一例を模式的に示す概略斜視図である。
【図６】（ａ）は、同収納装置が備える枠体の一例を模式的に示す一部破断概略斜視図、（ｂ）は、同収納装置が備えるキャップ部材の一例を模式的に示す概略斜視図である。
【図７】（ａ）は、同収納装置が備える棚板の一変形例を模式的に示す概略平面図、（ｂ）は、同棚板の概略正面図、（ｃ）は、同棚板の概略分解平面図、（ｄ）は、同収納装置が備えるキャップ部材の一変形例を模式的に示す概略斜視図である。
【発明を実施するための形態】
【００１０】
以下に本発明の実施の形態について、図面に基づいて説明する。
図１〜図７は、本実施形態に係る収納装置の一例及び変形例を模式的に示す図である。
なお、一部の図では、他図に付している詳細な符号の一部を省略している。
また、以下の実施形態では、設置された収納装置に開口側においてに対面した状態を基準として、手前側を前方、その逆側を後方とし、また、その状態を基準として、上下方向及び左右方向の方向を説明する。また、収納装置の回転収納体が図１及び図４（ｂ）に示すように箱体に収納された状態を基準として、同方向を原則的に説明する。
【００１１】
本実施形態に係る収納装置１は、図１に示すように、左右両側のそれぞれに上下に間隔を空けて設けられ、棚板３０を取外可能に保持する複数の棚板保持部（保持部材）２６，２６を備えている。本実施形態では、これら複数の棚板保持部２６，２６を、前方に開口する箱体２に回転自在に設けられた回転収納体２０に設け、当該収納装置１を回転収納装置１としている（図４（ｂ）も参照）。この回転収納装置１は、玄関土間や玄関フロアー等に好適に設置される玄関収納装置としてもよい。
また、回転収納装置１は、箱体２と、この箱体２の内部に収納される回転収納体２０と、箱体２に対して回転収納体２０を回転可能とする回転機構部１０と、を備えている。
【００１２】
箱体２は、前方に開口した正面視略矩形の箱状とされている。この箱体２は、天面部３と底面部４と背面部５と左右一対の側面部６，６とを備え、これらによって回転収納体２０の収納空間を区画形成している。この収納空間は、前後寸法（収納奥行寸法）よりも左右寸法（収納間口寸法）が大きく形成されている。
なお、これら各面部３，４，５，６，６は、板材からなるものとしてもよく、また、箱体２は、木製や金属製、樹脂製等としてもよい。
また、箱体２の前方開口を開閉する扉を設けてもよい。また、回転収納体２０の収納空間の上側や下側等に更に他の収納空間を設けた態様としてもよい。この場合は、横仕切板等によって上下の収納空間を区画するようにしてもよい。
【００１３】
この箱体２の天面部３及び底面部４には、回転機構部１０，１０がそれぞれに設けられている。箱体２は、これら上下両側の回転機構部１０，１０を介して回転収納体２０を支持する構成とされている。
回転機構部１０は、箱体２の天面部３と回転収納体２０の上部との間と、箱体２の底面部４と回転収納体２０の下部との間と、の二箇所にそれぞれ設けられている。これら上下二つの回転機構部１０，１０は、平面視して略重なり合うように設けられており、互いに同様に作動する。これら回転機構部１０，１０は、互いに同様の構成とされており、互いに上下反転させたような構成とされている。
【００１４】
回転機構部１０は、図１、図２及び図４に示すように、前後方向に沿って長尺なレール１１と、このレール１１に沿って前後にスライド移動自在の走行体１２と、回転収納体２０の回転中心となる回転軸１３と、長尺の連結アーム１４と、を備えている。
上下両側の回転機構部１０，１０の各レール１１，１１は、箱体２の天面部３の下面及び底面部４の上面にそれぞれ固定されている。これら天面部３側及び底面部４側の両レール１１，１１は、上下方向に対向して配置されている。また、これら両レール１１，１１を、箱体２の収納空間の左右方向略中央部に配置している。
【００１５】
走行体１２は、当該走行体１２の前端側がレール１１の前端よりも前方に突出するように、レール１１に対して前方側にスライド可能とされている。これらレール１１及び走行体１２としては、前後方向に伸縮するスライドレール等からなるものとしてもよい。
この走行体１２の長手方向の途中部位には、回転軸１３が取り付けられている。この回転軸１３は、図４（ｂ）に示すように、走行体１２が最後方位置において箱体２の収納空間の平面視略中心に位置するように設けられている。本実施形態では、この回転軸１３を、走行体１２の長手方向の略中央に取り付けている。
【００１６】
このような構成により、回転機構部１０は、走行体１２をレール１１に沿って前後にスライド移動させることで、回転軸１３が前後に移動する構成とされている。つまり、回転軸１３は、走行体１２を前方にスライドさせれば、前方に移動し、走行体１２を後方にスライドさせれば、後方に移動する構成とされている。
この回転軸１３は、軸方向を上下方向に沿わせて配置されている。この回転軸１３の軸方向の一端側に走行体１２が取り付けられ、軸方向の他端側に回転収納体２０が取り付けられている。つまり、回転収納体２０は、上下の回転軸１３，１３を介して上下の走行体１２，１２に支持されている。
【００１７】
また、回転軸１３は、走行体１２に対して当該回転軸１３の軸廻りに回転自在とされている。これにより、回転収納体２０は、走行体１２に対して回転軸１３の軸廻りに回転自在とされている。
なお、回転軸１３は、走行体１２に対して回転収納体２０を回転自在とするものであれば、走行体１２に対して回転自在とされたものに限られず、回転収納体２０に対して回転自在とされたものでもよい。
【００１８】
連結アーム１４は、長手方向の一端がレール１１の後端部にスライド不能に回動自在に接続されている。また、連結アーム１４は、長手方向の他端が箱体２に収納状態の回転収納体２０の左右方向の一端側に位置するようにスライド不能に回転自在に接続されている。本実施形態では、回転収納体２０が箱体２に収納された状態における回転軸１３と前後方向で略一致する位置となるように連結アーム１４の他端を回転収納体２０に接続している。
これら連結アーム１４の一端及び他端は、レール１１及び回転収納体２０のそれぞれに対して上下方向に沿う軸廻りに回動自在に連結されている。
【００１９】
この連結アーム１４は、図４（ｂ）に示すように、後端側の長手方向一端を回転中心として前端側が左右方向に移動するように９０°の範囲で回動する構成とされている。
上下両側の回転機構部１０，１０の各連結アーム１４，１４は、平面視して略重なり合うように配置されており、重なり合った状態を略維持してそれぞれ回動する構成とされている。なお、上下の回転機構部１０，１０のいずれか一方のみに連結アーム１４を設けた態様としてもよい。
【００２０】
回転収納体２０は、回転軸１３廻りに少なくとも１８０°回転自在に箱体２に設けられ、正面視略矩形枠状の枠体２１と、複数の棚板３０，３０と、を備えている。この回転収納体２０は、枠体２１内に棚板３０を配置することで、上下に複数段の収納部を区画する構成とされている。
枠体２１は、図１に示すように、上枠部２２と、下枠部２３と、左右一対の縦枠部２４，２４と、を備えている。
この枠体２１は、回転収納体２０が箱体２に収納された状態で、箱体２の前後方向略中央部に配置される。
なお、この枠体２１は、例えば、金属系材料等の剛性材料から形成されたものとしてもよい。
【００２１】
上枠部２２及び下枠部２３は、それぞれ左右方向に沿って長尺とされている。
上枠部２２の長手方向の略中央に、上部の回転機構部１０の回転軸１３の下端側（上記他端側）が取り付けられている。
下枠部２３の長手方向の略中央に、下部の回転機構部１０の回転軸１３の上端側（上記他端側）が取り付けられている。このような構成により、枠体２１（回転収納体２０）は、走行体１２を介して箱体２から前方側にスライド自在で、かつ回転軸１３廻りに走行体１２に対して回転自在とされている。
【００２２】
また、上枠部２２及び下枠部２３のそれぞれの左右方向の一端側には、連結アーム１４，１４の他端が回転自在に取り付けられている。このような構成により、枠体２１（回転収納体２０）は、回転軸１３廻りの回転範囲（回転動作の範囲）が規制され、図４（ｂ）に示すように、箱体２に対して前後方向にスライドしながら回転軸１３廻りに約１８０°の範囲で回転可能な構成とされている。これにより、枠体２１（回転収納体２０）は、箱体２に収納時の姿勢を前後反転可能（１８０°反転可能）な構成とされている。つまり、当該回転収納装置１は、回転機構部１０によって枠体２１（回転収納体２０）の前後を入れ替え（切り替え）可能としている。
【００２３】
本実施形態では、回転収納体２０の回転中心となる回転軸１３を前方側にスライドさせることで、箱体２の背面部５との間に回転収納体２０を回転させるための空間が形成され、この空間を利用して回転収納体２０を回転軸１３廻りに回転させることができる。換言すれば、回転軸１３を前後方向にスライドさせながら回転収納体２０を回転軸１３廻りに回転させて前後の切り替えを可能としている。これにより、回転収納体２０を回転させる際に、回転収納体２０が箱体２に収納された状態よりも後方側に突出するようなことを防止することができる。つまり、箱体２に収納された状態の回転収納体２０の奥側に必要となる回転収納体２０の回転用の空間を小さくするまたは無くすことができ、回転収納体２０の収納部の奥行寸法を確保しながらも箱体２の奥行寸法を効率的に小さくすることができる。
【００２４】
左右の縦枠部（両側の縦枠部）２４，２４は、それぞれ上下方向に沿って長尺とされている。これら縦枠部２４，２４は、平面視（横断面視）して略矩形状とされており、例えば、筒状材から形成されたものとしてもよい。これら両側の縦枠部２４，２４は、略平行に並んで配置されている。
一方の縦枠部２４（第１縦枠部２４Ａ）は、上端が上枠部２２の左右方向の一端（連結アーム１４を接続した側の端部）に固定されている。この第１縦枠部２４Ａの下端は、下枠部２３の左右方向の一端（上枠部２２と同じ側の端部）に固定されている。
他方の縦枠部２４（第２縦枠部２４Ｂ）は、上端が上枠部２２の左右方向の他端に固定されている。この第２縦枠部２４Ｂの下端は、下枠部２３の左右方向の他端に固定されている。
なお、これら両側の縦枠部２４，２４、上枠部２２及び下枠部２３からなる枠体２１は、一体的に形成されたものとしてもよく、各枠部２２，２３，２４，２４の端部を適宜、ねじ等の固定具や溶接等によって連結して形成されたものとしてもよい。
【００２５】
第２縦枠部２４Ｂの長手方向（上下方向）の途中部位には、回転収納体２０のスライド移動及び回転動作の操作用の操作部２５が設けられている。つまり、操作部２５は、平面視において、連結アーム１４が接続された側とは異なる側に位置する縦枠部２４（第２縦枠部２４Ｂ）に設けられている。これにより、使用者が操作部２５を前方に引き出し操作することで、回転収納体２０の反転操作を行うことができる。また、スムーズに回転収納体２０を回転操作することができ、回転収納体２０の回転方向を使用者に認識し易くすることができ、回転収納体２０の反転操作（反転作業）性を向上させることができる。
【００２６】
また、操作部２５は、図１及び図６（ａ）に示すように、側面視して矩形枠状に形成されている。この操作部２５は、その前後寸法が第２縦枠部２４Ｂの前後寸法よりも大きく形成されている。また、操作部２５は、第２縦枠部２４Ｂよりも前後方向の一方（前方）に突出した第１把持部２５ａと第２縦枠部２４Ｂよりも前後方向の他方（後方）に突出した第２把持部２５ｂとが形成されるように、前後方向の略中央で第２縦枠部２４Ｂに固定されている。なお、この操作部２５は、ねじ等の固定具や溶接等によって第２縦枠部２４Ｂに固定するようにしてもよい。
【００２７】
また、これら両側の縦枠部２４，２４に、上下に間隔を空けて複数の棚板保持部２６，２６をそれぞれに設けている。これら棚板保持部２６，２６は、図１及び図３に示すように、両縦枠部２４，２４の互いに対向する側面（左右方向内方側を向く面）に固定されている。これら棚板保持部２６，２６は、例えば、金属系材料等の剛性材料から形成されたものとしてもよい。また、これら棚板保持部２６，２６は、両縦枠部２４，２４に、ねじ等の固定具や溶接等によって固定するようにしてもよい。
これら棚板保持部２６，２６は、第１縦枠部２４Ａ側に設けられた棚板保持部２６と第２縦枠部２４Ｂ側に設けられた棚板保持部２６とが左右方向に並んで同高さに位置するように設けられている。つまり、第１縦枠部２４Ａ側に設けられた棚板保持部２６と第２縦枠部２４Ｂ側に設けられた棚板保持部２６とが左右で対を成しており、これら対を成す棚板保持部２６，２６を、上下方向に間隔を空けて複数箇所に設けている。図例では、左右対の棚板保持部２６，２６を、上下方向に間隔を空けて１４箇所に設けた例を示している。
【００２８】
これら上下に隣り合う棚板保持部２６，２６間の寸法は、略等間隔としてもよく、それぞれに異なる寸法としてもよい。図例では、上下方向略中央よりも上側に位置する上下に隣り合う棚板保持部２６，２６間の寸法を、上下方向略中央よりも下側に位置する上下に隣り合う棚板保持部２６，２６間の寸法よりも大きくした例を示している。また、上下方向略中央よりも上側に位置する上下に隣り合う棚板保持部２６，２６間の寸法を略等間隔とし、上下方向略中央よりも下側に位置する上下に隣り合う棚板保持部２６，２６間の寸法を略等間隔とした例を示している。
【００２９】
また、これら棚板保持部２６，２６は、正面視して横向きに開口した矩形Ｕ字状（略コ字状または略Ｃ字状）とされている。対を成す左右の棚板保持部２６，２６は、Ｕ字の開口側が左右方向に向かい合って配置されている。
また、これら棚板保持部２６，２６は、前後方向に沿って長尺状とされており、両縦枠部２４，２４の前後両側または前後一方側に突出するように各縦枠部２４，２４に設けられている。本実施形態では、棚板保持部２６，２６の前後寸法を、縦枠部２４，２４の前後寸法よりも大きくし、各棚板保持部２６，２６を、各縦枠部２４，２４の前後両側に突出するように各縦枠部２４，２４に設けている。
【００３０】
左右方向一方側（図示右側）の棚板保持部２６は、厚さ方向を左右方向に沿わせた側板部２７と、この側板部２７の上端から左右方向他方側（左側）に向けて突出した上板部２８と、側板部２７の下端から左右方向他方側に向けて突出した下板部２９と、を有する。この図示右側の棚板保持部２６は、図示右側に配置された第２縦枠部２４Ｂの左側（枠体２１の内側）に配置され、その側板部２７の前後方向の概ね中央において第２縦枠部２４Ｂの上記対向側面に固定されている。
【００３１】
左右方向他方側（図示左側）の棚板保持部２６は、厚さ方向を左右方向に沿わせた側板部２７と、この側板部２７の上端から左右方向一方側（右側）に向けて突出した上板部２８と、側板部２７の下端から左右方向一方側に向けて突出した下板部２９と、を有する。この図示左側の棚板保持部２６は、図示左側に配置された第１縦枠部２４Ａの右側（枠体２１の内側）に配置され、その側板部２７の前後方向の概ね中央において第１縦枠部２４Ａの上記対向側面に固定されている。
【００３２】
これら左右両側の棚板保持部２６，２６の上板部２８，２８及び下板部２９，２９は、厚さ方向を概ね上下方向に沿わせ、互いに略平行に形成されている。また、図例では、これら棚板保持部２６，２６の上板部２８，２８の左右方向の寸法を、下板部２９，２９の左右方向の寸法よりも小さくした例を示している。つまり、下板部２９の側板部２７からの左右方向への突出寸法を、上板部２８の側板部２７からの左右方向への突出寸法よりも大きくした例を示している。
【００３３】
また、これら左右両側の棚板保持部２６，２６の側板部２７，２７には、被係止部（係止凹部）としての開口部２７ａ，２７ａがそれぞれに設けられている。これら両側の棚板保持部２６，２６の開口部２７ａ，２７ａは、左右方向において互いに重なり合う位置となるように設けられている。また、開口部２７ａ，２７ａは、図２及び図６（ａ）に示すように、側板部２７，２７を厚さ方向に見て縦枠部２４，２４と重なり合わないように設けられている。
また、図例では、開口部２７ａ，２７ａを、側板部２７，２７の厚さ方向に見て略矩形状とした例を示している。
【００３４】
また、開口部２７ａ，２７ａは、棚板保持部２６，２６の縦枠部２４，２４への固定位置から前後方向のいずれか一方へずれた位置に設けられている。本実施形態では、棚板保持部２６，２６を、縦枠部２４への固定位置よりも前方に開口部２７ａを設けた第１棚板保持部２６Ａと、縦枠部２４への固定位置よりも後方に開口部２７ａを設けた第２棚板保持部２６Ｂと、からなるものとしている。また、これら第１棚板保持部２６Ａと第２棚板保持部２６Ｂとを上下方向において交互に配置している。つまり、左右で対を成す第１棚板保持部２６Ａ，２６Ａ対と左右で対を成す第２棚板保持部２６Ｂ，２６Ｂ対とを上下方向に沿って交互に配置している。
【００３５】
また、これら棚板保持部２６，２６は、図１及び図２に示すように、最下段の棚板保持部２６，２６対（第１棚板保持部２６Ａ，２６Ａ対）を除き、それぞれの長手方向を、水平方向に沿わせるように縦枠部２４，２４の長手方向に直交させて配置されている。つまり、最下段の棚板保持部２６，２６対（第１棚板保持部２６Ａ，２６Ａ対）以外の棚板保持部２６，２６は、上板部２８，２８及び下板部２９，２９の厚さ方向を上下方向に沿わせて配置されている。一方、最下段の棚板保持部２６，２６対（第１棚板保持部２６Ａ，２６Ａ対）は、それぞれの長手方向を、縦枠部２４，２４の長手方向に対して傾斜させるように配置されている。図例では、最下段の棚板保持部２６，２６対（第１棚板保持部２６Ａ，２６Ａ対）を、後方側に向かうに従い下方側に傾斜するように配置した例を示している。
【００３６】
当該回転収納装置１は、図１に示すように、対を成す棚板保持部２６，２６毎に、それぞれ棚板３０を保持可能な構成とされている。つまり、回転収納装置１は、枠体２１の第１縦枠部２４Ａと第２縦枠部２４Ｂとの間（両側の縦枠部２４，２４の左右方向の間）に、棚板保持部２６，２６を介して、複数の棚板３０を上下多段に配設可能な構成とされている。
棚板３０は、第１棚板保持部２６Ａ，２６Ａに保持される第１棚板３０Ａと、第２棚板保持部２６Ｂ，２６Ｂに保持される第２棚板３０Ｂと、に区別される。これら第１棚板３０Ａと第２棚板３０Ｂとは、略同寸同形とされている。また、これら棚板３０は、一方の棚板（例えば、第１棚板３０Ａ）を、平面視して１８０°回転させれば、他方の棚板（例えば、第２棚板３０Ｂ）として利用可能な構成とされている。
【００３７】
棚板３０は、図５に示すように、平板状の本体部３１と、棚板保持部２６に保持される被保持部３４，３５と、を有する。この棚板３０は、例えば、本体部３１と被保持部３４，３５とを一体成形した樹脂成型品等からなるものとしてもよい。
本体部３１は、上面に靴等の収納物が配置（載置）される。つまり、当該回転収納装置１は、棚板３０の本体部３１上に収納物を配置することで収納物を回転収納体２０に収納可能としている。
【００３８】
また、本体部３１の上面の前後方向一端側には、滑り止めが設けられている。このような滑り止めを設けることで、本体部３１上に載置した収納物の滑りを抑制することができる。なお、本体部３１の上面の略全面に亘って滑り止めを設けるようにしてもよい。
また、本体部３１の下面には、リブ３２が設けられている。図例では、下方に向けて突出する複数のリブ３２を本体部３１の下面に略格子状に設けた例を示している。このようなリブ３２を設けることで、本体部３１の軽量化（薄型化）を図りながらも本体部３１を補強することができる。
【００３９】
被保持部３４，３５は、本体部３１の左右両端にそれぞれ設けられており、左右二つの被保持部３４，３５，３４，３５は、左右対称形状とされている。
また、被保持部３４，３５は、棚板保持部２６に当接支持される被支持部３５と、この被支持部３５が配置された凹部３４と、を有する。
凹部３４は、左右方向に凹むように、棚板３０の左右の端部に形成されている。また、凹部３４は、下部の略全体が開口している。つまり、凹部３４は、左右方向外方側及び下方側に向けて開口するように棚板３０の端部に形成されており、当該部位に被支持部３５を設けている。
【００４０】
被支持部３５は、凹部３４の前後方向一方側縁から前後方向他方側に向けて突出するように形成されている。また、被支持部３５は、棚板３０の本体部３１の上面に対して突出方向先側に向かうに従い下向きに傾斜するように突出形成されている。また、被支持部３５は、側面視して略矩形枠状とされている。
この被支持部３５は、横向き開口形状とされた棚板保持部２６の凹所（Ｕ字の内部、上板部２８と下板部２９との間）に挿通可能な形状とされている。また、被支持部３５は、棚板３０（第１棚板３０Ａ）を枠体２１に取り付ける際に、前方側から棚板保持部２６（第１棚板保持部２６Ａ）の上記凹所に挿通され、棚板保持部２６（第１棚板保持部２６Ａ）内に配置される。このように棚板３０を棚板保持部２６に保持させた状態では、被支持部３５の上端部（上側面）が棚板保持部２６の上板部２８に当接される。また、被支持部３５の下端部（下側面）が棚板保持部２６の下板部２９に当接される。また、被支持部３５の左右方向外方端部（外側面）が棚板保持部２６の側板部２７に当接される。
【００４１】
このような構成により、棚板３０の被保持部３４，３５は、棚板保持部２６に保持（支持）され、これにより、棚板３０が上下方向及び左右方向に位置決めされる。つまり、被保持部３４，３５は、被支持部３５を棚板保持部２６に挿通することで、被支持部３５を介して棚板保持部２６に支持され、被支持部３５と棚板保持部２６との当接によって、上下方向及び左右方向に位置決めされる。
また、被支持部３５の前後方向一方側端（突出方向基端部）の外側面（左右方向の外方を向く面）には、左右方向外方に向けて突出する突出片３９が設けられている。この突出片３９は、厚さ方向を被支持部３５の突出方向に沿わせた薄板状とされている。この突出片３９は、被支持部３５の棚板保持部２６（第１棚板保持部２６Ａ）への装着時の挿通方向（挿入方向）における後方側の部位に設けられている。
【００４２】
上記のような構成により、被支持部３５は、この突出片３９を棚板保持部２６（第１棚板保持部２６Ａ）の前後方向側端部の一端（前端）に当接させることで、棚板保持部２６への挿入（取付）が完了となる。また、これにより、棚板３０（第１棚板３０Ａ）が枠体２１に対して前後方向に位置決めされ、棚板３０（第１棚板３０Ａ）の過剰な挿入（押し込み）等による棚板保持部２６（第１棚板保持部２６Ａ）より後方への抜け落ちを防止することができる。なお、棚板３０の左右方向の外方は、例えば、右側の被保持部３４，３５の場合、右側であり、左側の被保持部３４，３５の場合、左側であり、棚板３０から左右方向に離れる側に向く側である。
【００４３】
また、被支持部３５には、被係止部としての開口部２７ａに脱着自在に引っ掛けられる爪部３６が設けられている。
爪部３６は、被支持部３５と一体に形成されており、側面視して略矩形枠状とされた被支持部３５内に位置するように形成されている。この爪部３６は、前後方向に概ね沿って長尺な基部３７と、この基部３７から左右方向の外方に向けて突出した凸部３８と、を有する。
基部３７は、被支持部３５の前後方向他方側端（突出方向先端部）の枠内面に一体に形成されている。また、基部３７は、被支持部３５の枠内において、被支持部３５の突出方向先端（後端）から突出方向基端側（前方側）に向けて突出するように形成されている。また、この基部３７は、被支持部３５の左右方向外方の側端よりも左右方向内方に位置するように形成されている。また、この基部３７は、被支持部３５に対して左右方向に弾性変形可能とされている。
【００４４】
凸部３８は、棚板保持部２６の開口部２７ａに少なくとも一部が挿入される形状とされている。また、凸部３８は、基部３７の被支持部３５からの突出方向（前後方向）の先端側（前方側）の略半分の部位（前方半部）に一体に形成されており、基部３７の前方半部の左右方向外方側の側面から左右方向外方に向けて突出するように形成されている。
また、凸部３８は、第１斜辺部３８ａと第２斜辺部３８ｂとを有した平面視して略三角形状とされている。
第１斜辺部３８ａは、基部３７の被支持部３５からの突出方向先端側に設けられており、先端側（前方側）に向かうに従い左右方向内方側に傾斜する形状とされている。
第２斜辺部３８ｂは、基部３７の被支持部３５からの突出方向基端側に設けられており、基端側（後方側）に向かうに従い左右方向内方側に傾斜する形状とされている。
また、凸部３８の前後方向に沿う寸法は、棚板保持部２６の開口部２７ａの前後方向に沿う寸法よりも大きく形成されている。また、第１斜辺部３８ａの前後方向に沿う寸法よりも第２斜辺部３８ｂの前後方向に沿う寸法を大きくしている。
【００４５】
この凸部３８は、棚板保持部２６に棚板３０の被支持部３５を取り付けた状態で、一部が棚板保持部２６の開口部２７ａを介して側板部２７よりも左右方向外方に突出する構成とされている（図４（ａ）参照）。また、この状態では、第１斜辺部３８ａ及び第２斜辺部３８ｂが棚板保持部２６の開口部２７ａの前後の開口縁にそれぞれ当接される。これにより、棚板３０の被支持部３５は、棚板保持部２６に対して前後方向への移動が抑制されて抜止がなされ、上記のように位置決めされた状態で棚板保持部２６に保持される。つまり、棚板３０（第１棚板３０Ａ）は、爪部３６を被係止部としての棚板保持部２６の開口部２７ａに脱着自在に引っ掛けることで、棚板保持部２６に被保持部３４，３５を保持させた状態で枠体２１に取り付けられる。また、爪部３６（凸部３８）を被係止部としての開口部２７ａに引っ掛けた状態では、突出片３９が被支持部３５の棚板保持部２６への挿通（挿入）を規制する（図２参照）。
【００４６】
また、棚板保持部２６，２６（第１棚板保持２６Ａ，２６Ａ）に保持された棚板３０（第１棚板３０Ａ）は、爪部３６（凸部３８）を左右方向内方に押し込み、被支持部３５を棚板保持部２６から前方に引き出すことで、枠体２１から取り外すことができる。つまり、爪部３６（凸部３８）、被係止部（開口部）２７ａ及び棚板保持部２６が棚板３０を枠体２１に脱着自在に取り付け可能とする取付部を構成する。このような構成により、爪部３６（凸部３８）の被係止部（開口部）２７ａへの係脱（引っ掛けとその解除）によって、簡単に（容易に）棚板３０を枠体２１に取り付けたり、枠体２１から取り外したりすることができる。つまり、このような爪部３６（凸部３８）と被係止部（開口部）２７ａとを備えた取付部を回転収納装置１に設けたことで、棚板３０の枠体２１への脱着作業を単純化することができる。
【００４７】
また、棚板３０を枠体２１に対して前後方向にスライド移動させることで、棚板３０を枠体２１に対して脱着させることができる。これにより、脱着時における棚板３０の上下方向への移動を低減または略なくすことができ、例えば、上下多段に棚板３０を比較的に近接させて配置するような場合にも、脱着時における他の棚板３０への干渉を抑制することができる。また、例えば、ピン等を用いたり、上下に移動させたりする等の必要のある従来の構成に比べて、脱着作業性を向上させることができる。
【００４８】
また、被支持部３５に爪部３６を設け、被支持部３５を挿通した状態における棚板保持部２６の爪部３６に対応した部位に、被係止部としての開口部２７ａを設けている。そのため、被支持部３５を棚板保持部２６に挿通させることで、爪部３６を被係止部（開口部）２７ａに引っ掛ける位置に配置し易くすることができる。つまり、棚板３０（第１棚板３０Ａ）を棚板保持部２６（第１棚板保持部２６Ａ）に取り付ける際に、被保持部３４，３５（被支持部３５）の棚板保持部２６への押し込み（スライド移動）用のスライドガイドとして棚板保持部２６を機能させることができる。これにより、爪部３６（凸部３８）を開口部２７ａに引っ掛ける際に、開口部２７ａに対する爪部３６（凸部３８）の位置を規定し易くなり、棚板３０の取付性を向上させることができる。
【００４９】
また、第１棚板保持部２６Ａ及び第２棚板保持部２６Ｂは、それぞれの開口部２７ａ，２７ａが前後逆側に位置するように設けられている。これにより、棚板３０を取り付ける際に、開口部２７ａの位置を視認することで、第１棚板保持部２６Ａと第２棚板保持部２６Ｂとの区別を使用者に行い易くさせることができ、棚板３０（第１棚板３０Ａ）の装着作業性を向上させることができる。また、棚板３０（第１棚板３０Ａ）の抜き出し時に、手前側（抜き出し側）に開口部２７ａが位置するため、爪部３６（凸部３８）の左右方向内方への押し込み操作が行い易く、棚板３０（第１棚板３０Ａ）の脱離作業性を向上させることができる。
【００５０】
また、本実施形態では、最下段の棚板３０（第１棚板３０Ａ）を除く棚板３０（第１棚板３０Ａ）を、それぞれの被保持部３４，３５が棚板保持部２６，２６に保持された状態で、被支持部３５の突出方向が前後方向に沿う状態となる構成としている。これにより、最下段以外の第１棚板３０Ａは、上面に対して被支持部３５が上記のように下向き傾斜形状とされているので、前下がり（後上がり）の前傾状態（上面を上下方向から前方側に傾けた姿勢）で枠体２１（第１棚板保持部２６Ａ，２６Ａ）に支持されることとなる。また、第２棚板３０Ｂは、第１棚板３０Ａを平面視して１８０°回転させた姿勢とされているので、前上がり（後下がり）の後傾状態で枠体２１（第２棚板保持部２６Ｂ，２６Ｂ）に支持されることとなる。
【００５１】
つまり、図１及び図２に示すように、前傾状態の棚板３０（第１棚板３０Ａ）と後傾状態の棚板３０（第２棚板３０Ｂ）とが上下方向において交互に配置されることとなる。
また、本実施形態では、最下段の棚板３０（第１棚板３０Ａ）は、最下段の棚板保持部２６，２６を上記のように傾斜させることで、本体部３１の上面が傾斜せずに略水平の状態で枠体２１に取り付けられる構成とされている。なお、最下段の棚板保持部２６，２６を傾斜させずに、被保持部３４，３５を本体部３１の上面に沿って設けることで、本体部３１の上面を傾斜させずに略水平の状態で最下段の棚板３０（第１棚板３０Ａ）を枠体２１に取り付け可能な構成としてもよい。
【００５２】
なお、第２棚板３０Ｂは、例えば、図１及び図２に示す状態から、回転収納体２０を平面視して１８０°回転させて前後を反転させた姿勢に切り替えることで、第１棚板３０Ａに切り替わり、この状態で、脱着がなされるものとしてもよい。
また、枠体２１に前傾状態や後傾状態で取り付けられた棚板３０の本体部３１の上面の水平面に対する傾斜角度は、収納物の種類等に応じて適宜、設定可能であるが、例えば、５°〜３０°程度としてもよく、１０°〜２０°程度としてもよい。
【００５３】
上記のように枠体２１に複数の棚板３０を取り付けた状態では、回転収納体２０は、下段側の棚板３０の上面とその上方に位置する上段側の棚板３０の下面との間がそれぞれ収納物を収納するための収納空間（収納部）となる。また、最上段の棚板３０と上枠部２２との間が収納物を収納するための収納空間（収納部）となる。
また、回転収納体２０は、前傾状態の棚板３０（第１棚板３０Ａ）に対してその前方側から収納物の出し入れが容易に可能とされている。また、回転収納体２０は、上下に隣り合う後傾状態の棚板３０（第２棚板３０Ｂ）の前端と前傾状態の棚板３０（第１棚板３０Ａ）の前端とが比較的に近接し、後傾状態の棚板３０（第２棚板３０Ｂ）に対してその前方側から収納物の出し入れが困難な構成とされている。つまり、回転収納体２０は、後傾状態の棚板３０（第２棚板３０Ｂ）からは、回転収納体２０を１８０°反転させて前傾状態に切り替えることで、その前方側から収納物の出し入れが容易に可能とされている。
このような構成とすれば、当該回転収納装置１（回転収納体２０）の収納空間を効率的に利用することができる。なお、このように棚板３０を傾斜させて配置する態様としない場合において、例えば、収納空間（棚板３０）の前後寸法が比較的に大きいような場合には、回転させることで物品出し入れ性を向上させるようなこともできる。
【００５４】
また、棚板３０には、上方に突出した落下防止片３３が設けられている。この落下防止片３３は、棚板３０の本体部３１に一体に形成されている。
また、この落下防止片３３は、上記のように前傾状態や後傾状態で配置される棚板３０の本体部３１の上面の最下端側に位置するように形成されている。
このような落下防止片３３を棚板３０に設けた構成とすれば、傾斜させた棚板３０の下端側からの収納物の落下を抑制することができる。また、棚板３０を前後方向にスライド移動させて脱着作業等する際に、落下防止片３３周辺を把持することができる。
【００５５】
この落下防止片３３は、本体部３１の最下端辺及び左右の両側端辺の最下端辺側に沿って設けられ、平面視して（棚板３０を厚さ方向に見て）略矩形Ｕ字状となるように設けられている。つまり、第１棚板３０Ａの落下防止片３３は、本体部３１の上面の前端辺及び左右の側端辺の前方側に沿って形成され、平面視して後方に開口したような略矩形Ｕ字状とされている。また、第２棚板３０Ｂの落下防止片３３は、本体部３１の上面の後端辺及び左右の側端辺の後方側に沿って形成され、平面視して前方に開口したような略矩形Ｕ字状とされている。
【００５６】
また、回転収納装置１は、棚板３０を保持していない棚板保持部２６を覆うように棚板保持部２６に取外可能に取り付けられるキャップ部材５０を備えている。また、回転収納装置１は、左右両側の棚板保持部２６，２６にそれぞれ取り付けられる左右両側のキャップ部材５０，５０に保持される吊下部材４０を備えている。
このような構成とすれば、図２に示すように、ブーツ（長靴）等の長寸履物や傘等の長尺物（図例では、長寸履物８）を納まり良く収納することができる。
つまり、左右両側のそれぞれに上下に間隔を空けて設けられ、棚板３０を取外可能に保持する複数の棚板保持部２６，２６のうちの棚板３０を保持していない棚板保持部２６を覆うように棚板保持部２６に取外可能に取り付けられるキャップ部材５０を備えている。従って、長尺物８を収納したい場合には、長尺物８の収納に必要な位置及び枚数の棚板３０を取り外したり、棚板３０の位置を変更したりして収納することができる。図例では、最下段の棚板３０の上方側の４段の棚板保持部２６に棚板３０を保持させずに、これら棚板保持部２６にキャップ部材５０をそれぞれに取り付け、これらのうちの最上段の棚板保持部２６に取り付けたキャップ部材５０に吊下部材４０を保持させた例を示している。なお、当該回転収納装置１は、複数の棚板３０のうちのいずれかが予め取り外されているものとしてもよい。
【００５７】
また、棚板３０を保持していない棚板保持部２６をキャップ部材５０で覆うことができるので、棚板保持部２６を保護することができ、棚板保持部２６への接触等による物品等の損傷等を抑制することができる。
また、キャップ部材５０に吊下部材４０を保持させることができるので、この吊下部材４０に長尺物８を直接的に吊下げたり、長尺物８を保持する保持部材７を吊下げたりすることができ、長尺物８を納まり良く収納することができる。例えば、吊下部材４０に、長尺物としてのブーツ等の長寸履物８の型崩れ等を抑制するブーツホルダー（ブーツハンガー、ブーツキーパー、ブーツスタンド、ブーツクリップ等とも言う）等の長寸履物保持具７を吊下げたりすることができる。また、この吊下部材４０に、例えば、衣服等を吊るしたハンガーを吊下げるようなこともできる。また、棚板保持部２６を覆うキャップ部材５０に吊下部材４０を保持する機能を設けているので部品を共用化することができ、取扱性を向上させることができる。
【００５８】
キャップ部材５０は、図３及び図６（ｂ）に示すように、一方向に開口した形状とされ、その内方空間が棚板保持部２６を収容する収容空間５１とされている。このキャップ部材５０は、棚板保持部２６の外郭形状に対応させて収容空間５１の開口方向に見て略矩形状とされている。このキャップ部材５０は、収容空間５１の開口方向奥側を区画し、棚板保持部２６の側板部２７に対して略平行状に配置される側面部５２を備えている。また、キャップ部材５０は、この側面部５２の四周端部から開口方向に沿って設けられ、前後にそれぞれ配置される前後の面部５３，５３及び上下にそれぞれ配置される上下の面部５４，５５を備えている。
【００５９】
キャップ部材５０は、これら側面部５２、前後の面部５３，５３及び上下の面部５４，５５によって収容空間５１を区画形成している。
この収容空間５１の開口方向に沿う寸法（深さ寸法）は、棚板保持部２６（下板部２９）の縦枠部２４からの左右方向への突出寸法と略同寸法とされている。また、この収容空間５１の上下方向に沿う寸法及び前後方向に沿う寸法は、棚板保持部２６の上下方向に沿う寸法及び前後方向に沿う寸法とそれぞれ略同寸法とされている。つまり、キャップ部材５０の側面部５２の内面には、棚板保持部２６の左右方向内側端部（下板部２９の先端部）が当接または近接される。また、キャップ部材５０の前後の面部５３，５３の各内面には、棚板保持部２６の前後方向端部がそれぞれ当接または近接される。また、キャップ部材５０の上下の面部５４，５５の各内面には、棚板保持部２６の上下方向端部（上板部２８の上面及び下板部２９の下面）がそれぞれ当接または近接される。また、キャップ部材５０の上下の面部５４，５５の各先端面（左右方向外側面）には、縦枠部２４の内側面（上記対向側面）が当接または近接される。
【００６０】
また、キャップ部材５０の上下の面部５４，５５のうちの上下一方面部５４の内面には、上下他方面部５５側に向けて突出するリブ５４ａが設けられている。このリブ５４ａは、収容空間５１の開口方向に沿って延びるように形成されている。また、リブ５４ａは、開口方向外方側に向かうに従い内面からの突出寸法が小さくなるように形成されている。つまり、リブ５４ａは、開口方向奥側の側面部５２に向かうに従い突出寸法が大きくなるように上下一方面部５４の内面に形成されている。また、図例では、複数のリブ５４ａを、前後方向に間隔を空けて平行状に設けた例を示している。
【００６１】
上記のようなリブ５４ａを設けることで、キャップ部材５０の上下方向両側を、棚板保持部２６の上下方向両側に比較的に確実に当接させることができ、棚板保持部２６に取り付けた状態の棚板保持部２６に対するキャップ部材５０のがたつきを抑制することができる。なお、上下一方面部５４の内面に代えて、または加えて、上下他方面部５５の内面に同様のリブを設けるようにしてもよい。また、前後の面部５３，５３の両方または一方の内面に同様のリブを設けるようにしてもよい。
【００６２】
また、キャップ部材５０には、吊下部材４０を係合保持する係合部５６が設けられている。本実施形態では、吊下部材４０を、前後方向に延びるように形成された棒状係合部４１，４１を左右両側に有した構成とし、キャップ部材５０の係合部をこの棒状係合部４１を受け入れる係合凹部５６としている。この係合凹部５６は、左右方向外方に向けて開口するようにキャップ部材５０に設けられている。このような構成とすれば、左右両側の棚板保持部２６，２６に取り付けられる左右両側のキャップ部材５０，５０の係合凹部５６，５６に、吊下部材４０の左右両側の棒状係合部４１，４１をそれぞれ係合させることで、吊下部材４０を組み付けることができ、取付性及び取外性を向上させることができる。
【００６３】
この係合凹部５６は、キャップ部材５０の前後方向の全体に亘って設けられている。また、係合凹部５６は、図３に示すように、断面略円形状とされた棒状係合部４１に対応させて前後方向に見て左右方向外方に向けて開口する略Ｕ字状とされている。
図例では、上下他方面部５５と平行状に配置された他方外側面部５７を更に設けてこれら上下他方面部５５と他方外側面部５７とによって係合凹部５６の上下両側を区画した例を示している。また、これら上下他方面部５５と他方外側面部５７とを接続するように形成された複数の上下方向に沿うリブ状部によって係合凹部５６の開口方向奥側を区画した例を示している。これら複数のリブ状部のうち前後両側に位置するリブ状部は、前後の面部５３，５３と一連状に形成されている。
また、他方外側面部５７の上下方向に向く外側面（反係合凹部５６側の面）には、上下方向に沿って突出する複数のリブが設けられている。
【００６４】
また、キャップ部材５０には、縦枠部２４の前後両側または前後一方側に突出する棚板保持部２６の突出部の左右方向外方側に向く外側面側を覆う外側カバー部５８が設けられている。このように、棚板保持部２６を、縦枠部２４の前後両側または前後一方側に突出する形状とすることで、棚板３０の保持強度を向上させることができる。また、棚板３０を保持していない棚板保持部２６の突出部の外側面側を、キャップ部材５０の外側カバー部５８によって覆うことができる。これにより、棚板保持強度の向上や回転収納として利用可能でありながらも、棚板３０を保持していない棚板保持部２６を見栄え良く覆うことができる。
【００６５】
本実施形態では、棚板保持部２６を、縦枠部２４の前後両側に突出させた形状とし、この棚板保持部２６の前後両側の突出部の外側面側をそれぞれに覆う外側カバー部５８，５８をキャップ部材５０の前後両側に設けている。なお、これら前後両側の外側カバー部５８，５８は、棚板保持部２６の前後両側の突出部の外側面を全体に亘って覆う構成としてもよいが、図２に示すように、棚板保持部２６の前後両側の突出部の外側面の大半を覆う構成としてもよい。
また、これら外側カバー部５８，５８は、他方外側面部５７の開口側縁部に一体に形成されている。これら外側カバー部５８，５８の他方外側面部５７側の端部（連結端部）は、他の部位に比べて薄く形成され、折り曲げ可能とされたヒンジ部５８ａ，５８ａとされている。なお、このような態様に代えて、外側カバー部５８を蝶番等の回動連結部材によってキャップ部材５０（他方外側面部５７）に連結した態様としてもよい。
【００６６】
また、これら外側カバー部５８，５８の他方外側面部５７側とは異なる側の端部（自由端部）には、上下一方面部５４に設けられた係止部５４ｂ，５４ｂにそれぞれに係止される被係止部５８ｂ，５８ｂが設けられている。このような構成とすれば、キャップ部材５０の棚板保持部２６に対する取付強度を向上させることができる。
図例では、外側カバー部５８，５８の被係止部５８ｂ，５８ｂを、外側カバー部５８，５８の厚さ方向に貫通する係止孔部５８ｂ，５８ｂとした例を示している。また、上下一方面部５４の係止部５４ｂ，５４ｂを、係止孔部５８ｂ，５８ｂに挿通されてその孔縁に引っ掛けられる係止爪部５４ｂ，５４ｂとした例を示している。なお、これら係止部５４ｂ，５４ｂ及び被係止部５８ｂ，５８ｂとしては、その他、種々の態様とされたものが採用可能である。また、前後両側の外側カバー部５８，５８のうちの一方のみを設けた態様としてもよい。
【００６７】
また、このキャップ部材５０は、吊下部材４０を保持しない場合には、上下一方面部５４を上下他方面部５５よりも上側に位置させるように棚板保持部２６に取り付けるようにしてもよい（図２参照）。これによれば、上下逆側にして取り付けた場合と比べて、上面側にヒンジ部５８ａや他方外側面部５７に設けたリブが露出せず、見栄えを向上させることができる。
また、キャップ部材５０は、図２及び図３に示すように、吊下部材４０を保持する場合には、上下一方面部５４を上下他方面部５５よりも下側に位置させるように棚板保持部２６に取り付けるようにしてもよい。つまり、係合凹部５６が棚板保持部２６よりも上側に位置するようにキャップ部材５０を棚板保持部２６に取り付けるようにしてもよい。これによれば、吊下部材４０の左右両側の棒状係合部４１，４１を左右両側の棚板保持部２６，２６の上板部２８，２８上に仮置きすることができる。また、吊下部材４０を、キャップ部材５０（上下他方面部５５）を介して棚板保持部２６によって保持させることができ、吊下部材４０の保持強度を向上させることができる。
なお、キャップ部材５０は、例えば、上記形状に一体成形された樹脂成型品や金属製等からなるものとしてもよい。
【００６８】
吊下部材４０は、左右両側の棚板保持部２６，２６に取り付けられたキャップ部材５０，５０間に架け渡されるように配置される吊下部４３を備えている。この吊下部材４０は、左右両側の棒状係合部４１，４１を左右両側のキャップ部材５０，５０の各係合凹部５６，５６にそれぞれ受け入れさせ、各キャップ部材５０，５０を左右両側の棚板保持部２６，２６に取り付けることで、これら左右両側のキャップ部材５０，５０によって保持される。この状態では、左右両側の棒状係合部４１，４１が各係合凹部５６，５６によって規制され、当該吊下部材４０の上下方向及び左右方向への移動が抑制される。
また、吊下部材４０は、左右両側のキャップ部材５０，５０に保持された状態で、その吊下部４３がこれら左右両側のキャップ部材５０，５０よりも上方側に位置するように配設される構造とされている。このような構成とすれば、吊下部材４０が取り付けられる棚板３０を保持していない棚板保持部２６，２６の上方側スペースを吊下部４３及びこれに吊下げられる保持部材７や物品８等の配設スペースとして利用することができ、収納スペースを効率的に利用することができる。
【００６９】
また、吊下部材４０は、両側の棒状係合部４１，４１の一端部同士を接続するように設けられた第１棒状吊下部４３と、両側の棒状係合部４１，４１の他端部同士を接続するように設けられた第２棒状吊下部４５と、を備えている。このような構成とすれば、吊下部材４０の前後両側にそれぞれ設けられた第１棒状吊下部４３及び第２棒状吊下部４５のそれぞれに、長尺物８等を直接的に吊下げたり、長尺物８等を保持する保持部材７を吊下げたりすることができる。また、一方の吊下部４３を長尺物８用とし、他方の吊下部４５を短尺物９用とすることもでき、使い勝手を向上させることができる。
【００７０】
これら第１棒状吊下部４３及び第２棒状吊下部４５は、左右方向（棚板保持部２６，２６の対向方向）に長手方向（軸方向）を沿わせるように配置される。また、これら第１棒状吊下部４３及び第２棒状吊下部４５の両方が、当該吊下部材４０を保持する左右両側のキャップ部材５０，５０よりも上方側に位置するように配設される構成とされている。また、第２棒状吊下部４５よりも第１棒状吊下部４３が上方側に位置するように配設される構成とされている。
【００７１】
第１棒状吊下部４３は、左右両側の棒状係合部４１，４１の前後方向一端部（前端部）に一端側連結部４２，４２をそれぞれ介して長手方向両端部（左右端部）が連結されている。これら一端側連結部４２，４２は、それぞれに棒状とされている。また、これら一端側連結部４２，４２は、左右両側の棒状係合部４１，４１の前後方向一端部から上方に向けて突出するように形成されており、上方に向かうに従い棒状係合部４１，４１から離れる方向に傾斜するように形成されている。
【００７２】
また、第１棒状吊下部４３は、当該回転収納装置１（回転収納体２０）の収納空間の前後方向一方側半部における前後方向略中央に位置するように配置される構成とされている。
また、第１棒状吊下部４３は、当該吊下部材４０を保持する左右両側のキャップ部材５０，５０が取り付けられた棚板保持部２６，２６の上段側に隣接する棚板保持部２６，２６に保持された棚板３０の下面に近接して配設される構成とされている。図例では、後傾状態で保持された第２棚板３０Ｂの前端側の下面に第１棒状吊下部４３を近接させて配設した例を示している。
この第１棒状吊下部４３は、図２に示すように、長寸履物８を保持する長寸履物保持具７が吊下げられるものとしてもよい。
【００７３】
第２棒状吊下部４５は、左右両側の棒状係合部４１，４１の前後方向他端部（後端部）に他端側連結部４４，４４をそれぞれ介して長手方向両端部（左右端部）が連結されている。これら他端側連結部４４，４４は、それぞれに棒状とされている。また、これら他端側連結部４４，４４は、左右両側の棒状係合部４１，４１の前後方向他端部から上方に向けて突出するように形成されており、上方に向かうに従い棒状係合部４１，４１から離れる方向に傾斜するように形成されている。
左右両側の棒状係合部４１，４１の長さ寸法（前後方向に沿う寸法）は、キャップ部材５０（係合凹部５６）の長さ寸法（前後方向に沿う寸法）と略同寸法とされている。また、これら棒状係合部４１，４１の両端部に上記のように設けられた各連結部４２，４２，４４，４４によって、当該吊下部材４０のキャップ部材５０，５０に対する前後方向への移動が抑制される。
【００７４】
また、第２棒状吊下部４５は、当該回転収納装置１（回転収納体２０）の収納空間の前後方向他方側半部における前後方向中央よりも当該回転収納装置１（回転収納体２０）の収納空間の前後方向中央側に位置するように配置される構成とされている。
また、第２棒状吊下部４５は、当該吊下部材４０を保持する左右両側のキャップ部材５０，５０よりも僅かに上方側に位置するように配設される構成とされている。
また、吊下部材４０は、この第２棒状吊下部４５に物品保持部４７を設けた構成とされている。この物品保持部４７は、吊下部材４０に一体に設けられたものとしてもよいが、吊下部材４０に対して取外可能な別体とされている。
物品保持部４７は、第２棒状吊下部４５から垂れ下がるように第２棒状吊下部４５に引っ掛けられる構成とされている。また、物品保持部４７は、ブーツ等の長寸履物８のように嵩高（長寸）ではない一般的な履物９を引掛保持する構成とされている。
【００７５】
この物品保持部４７は、その上端部に、第２棒状吊下部４５に引っ掛けられるフック部４８を有している。また、物品保持部４７は、その下端側に、履物９を引掛保持する引掛部４９を有している。図例では、物品保持部４７を、棒状部材（線材）を屈曲させたような構成としている。また、物品保持部４７を、左右両側の上下に延びる棒状部の上端部のそれぞれにフック部４８，４８を設け、これら棒状部間に、左右一組の履物９をそれぞれに引掛保持する引掛部４９，４９を設けた構成とした例を示している。
【００７６】
当該吊下部材４０は、図２に示すように、物品保持部４７に引掛保持される履物９を、第１棒状吊下部４３に長寸履物保持具７を介して保持された長寸履物８の爪先側の上方側の空きスペースを利用して保持可能なように形成されている。また、当該吊下部材４０は、物品保持部４７に一般的な履物９を保持させ、第１棒状吊下部４３に長寸履物保持具７を介して長寸履物８を保持させた状態で、これら長寸履物８と一般履物９とが互いに干渉しないように形成されている。このような構成とすれば、長尺物用の収納スペースを効率的に利用することができる。また、本実施形態のように、回転収納装置１とすれば、回転させることで、主に冬季に必要となる長寸履物８側の収納と主に夏季に必要となるサンダル等の一般履物９側の収納とを切り替えることができ、使い勝手を向上させることができる。
【００７７】
図例では、物品保持部４７を、その引掛部４９を一般履物９の履口を介して挿通されるものとし、爪先側を上方側にかつ足長方向を概ね上下方向に沿わせて一般履物９を引掛保持する構成としている。
また、図例では、左右方向に３組の一般履物９をそれぞれに引掛保持する３つの物品保持部４７，４７，４７を第２棒状吊下部４５に設けた例を示しているが、その他、種々の変形が可能である。
【００７８】
また、吊下部材４０には、物品保持部４７の第２棒状吊下部４５に対する回動を防止する廻り止め部４６が設けられている。このような廻り止め部４６を設けた構成とすれば、物品保持部４７を第２棒状吊下部４５に対して取外可能としながらも物品保持部４７に履物９を安定的に保持させることができ、長寸履物８と一般履物９との干渉をより確実に抑制することができる。
この廻り止め部４６は、図例では、他端側連結部４４，４４間に架け渡されるように設けられた棒状とされている。この廻り止め部４６は、物品保持部４７のフック部４８が当接して第２棒状吊下部４５廻りの物品保持部４７の回動を規制する構成とされている。
なお、廻り止め部４６としては、このような態様に限られず、種々の変形が可能である。
また、吊下部材４０は、樹脂製や金属製等からなるものとしてもよい。
【００７９】
次に、本実施形態に係る回転収納装置１の棚板の一変形例について、図７（ａ）〜（ｃ）を参照して説明する。
なお、以下の変形例では、上記した例との相違点について主に説明し、同様の構成については、同一符号を付し、その説明を省略または簡略に説明する。
本変形例に係る棚板３０Ｃは、平板状とされた本体部３１Ａの左右両端に、それぞれサイドキャップ６０，６０を別部材で設けた構成とされている。また、これら左右両側のサイドキャップ６０，６０に、上記同様の被保持部３４，３５，３４，３５をそれぞれに設けた構成としている。これらサイドキャップ６０，６０には、互いに対向する方向に向けて開口し、本体部３１Ａの左右両端部が嵌め込まれるキャップ凹所６１，６１がそれぞれに設けられている。
【００８０】
このような構成とすれば、本体部３１Ａの左右方向の寸法を変更することで、棚板３０Ｃの左右方向の寸法を容易に所望の寸法に変更することができる。この場合は、必要に応じて、箱体２の天面部３や底面部４、背面部５、回転機構部１０、枠体２１、吊下部材４０等を適宜、変形等するようにしてもよい。また、この場合、例えば、左右方向の寸法の異なる複数種の回転収納装置１を製造する場合に、被保持部３４，３５（サイドキャップ６０，６０）や、棚板保持部２６等を共用部品にすることができ、コスト削減を行い易くすることができる。また、サイドキャップ６０は、従来の棚板等を取り外し可能に保持するピン等に比べて、大きい部材となるため、本体部３１Ａから取り外した場合にも、見付け易く、紛失等し難くすることができる。
【００８１】
なお、サイドキャップ６０は、本体部３１Ａに対して傾斜した被保持部３４，３５（被支持部３５）を備えたものや、本体部３１Ａに対して傾斜してサイドキャップ６０自体を取り付けるもの等、棚板３０Ｃを前傾状態や後傾状態で枠体２１に取付可能としたものであってもよい。
また、図例では、上記した落下防止片３３を設けていない例を示しているが、上記同様の落下防止片３３を、前端及び後端の両方または一方に設けるようにしてもよい。また、図例では、上記した突出片３９を設けていない例を示しているが、上記同様の突出片３９を設けるようにしてもよい。
【００８２】
次に、本実施形態に係る回転収納装置１のキャップ部材の一変形例について、図７（ｄ）を参照して説明する。
なお、以下の変形例では、上記した例との相違点について主に説明し、同様の構成については、同一符号を付し、その説明を省略または簡略に説明する。
本変形例に係るキャップ部材５０Ａは、前後の面部５３Ａ，５３Ａのそれぞれに、棚板保持部２６の側板部２７の前後の縁部にそれぞれ引掛係止される係止部５３ａ，５３ａを設けた構成とされている。なお、このような係止部５３ａ，５３ａを、上記したキャップ部材５０にも設けるようにしてもよい。
【００８３】
図例では、係止部５３ａ，５３ａを、前後の面部５３Ａ，５３Ａのそれぞれに対して前後方向に弾性変形可能とされ、先端に互いに向き合う方向に突出する係止爪をそれぞれに設けた係止片部５３ａ，５３ａとした例を示している。
また、本変形例では、キャップ部材５０Ａの他方外側面部５７Ａに外側カバー部５８を設けておらず、また、上下一方面部５４Ａに係止部５４ｂ，５４ｂを設けていない構成としている。このような構成とすれば、上記した例と比べて、構造の簡略化を図ることができる。
なお、キャップ部材５０，５０Ａを棚板保持部２６に取外可能に取り付け保持させる態様としては、上記したような態様に限られず、その他、種々の変形が可能である。例えば、棚板保持部２６をキャップ部材５０，５０Ａに対して圧入させることで、キャップ部材５０，５０Ａを棚板保持部２６に取外可能に取り付け保持させる態様としてもよい。
【００８４】
なお、本発明は、前述の実施形態の構成のみに限定されるものではなく、本発明の意図する範囲内であれば、適宜の設計変更を行うことが可能である。例えば、回転収納装置１は、前傾状態のみや後傾状態のみ、略水平状態のみで棚板３０を上下多段に配置したもの等であってもよく、最下段の棚板３０を前傾状態や後傾状態で配置したものであってもよい。また、例えば、箱体２は、少なくとも前方に開口したものであればよく、前後両側に開口したものであってもよい。また、回転収納装置１に収納される収納物としては、上記した靴や長寸履物８、一般的な履物９、衣類、傘等に限られず、例えば、書籍や帽子、装飾品、食品等であってもよい。
【００８５】
また、例えば、回転収納装置１は、被支持部３５の上面側に突出する爪部３６（凸部３８）を設け、棚板保持部２６の上板部２８に被係止部（開口部）２７ａを設けたものや、被支持部３５の下面側に突出する爪部３６（凸部３８）を設け、棚板保持部２６の下板部２９に被係止部（開口部）２７ａを設けたもの等であってもよい。また、例えば、回転収納装置１は、被支持部３５の棚板保持部２６への挿通方向における後方側の部位のうち、上面または下面に突出片３９を設けたものや、外側面、上面、下面のうちの二面若しくは三面にそれぞれ突出片３９を設けたもの等であってもよい。また、例えば、被支持部３５は、枠状に限られず、前後方向の中央部に、左右方向の内方に凹んだ凹部が設けられたものとし、この凹部に、爪部３６を配置したもの等であってもよい。この凹部は、爪部３６を上面側に突出させた場合には、上方に開口するように下方に凹んだ形状となり、爪部３６を下面側に突出させた場合には、下方に開口するように上方に凹んだ形状となる。
【００８６】
また、例えば、回転収納装置１は、棚板３０の爪部３６の基部３７を弾性変形させるための操作片を爪部３６に設けて、この操作片を介して凸部３８を左右方向の内方に押し込み操作可能としたもの等であってもよい。この場合、凸部３８を直接押し込み操作せずに、爪部３６を棚板保持部２６の被係止部（開口部）２７ａから抜き出すことができる。また、この場合、開口部２７ａに代えて、左右方向の内方に開口するように外方に凹んだ凹部を被係止部として棚板保持部２６に設けるようにしてもよい。また、操作片が突出片３９の機能を兼ね備えたものとしてもよい。
また、例えば、回転収納装置１は、棚板保持部２６に爪部３６や被保持部３４，３５を設け、棚板３０（３０Ｃ）に被係止部２７ａを設けたもの等であってもよい。
【００８７】
また、例えば、回転収納装置１は、吊下部材４０の第１棒状吊下部４３及び第２棒状吊下部４５の両方または一方が、当該吊下部材４０を保持する左右両側のキャップ部材５０，５０よりも下方側に位置するように配設される構成とされたもの等であってもよい。
また、吊下部材４０は、第１棒状吊下部４３のみを備えたもの等であってもよい。
また、箱体２に回転自在に設けた回転収納体２０に棚板保持部２６を設けた回転収納装置１に限られない。例えば、箱体２の左右両側の内面に、棚板保持部２６を設けた収納装置等であってもよい。この場合、棚板３０を棚板保持部２６に対して取外可能に保持可能なように、棚板３０や棚板保持部２６を適宜、変形するようにしてもよい。また、この場合、キャップ部材５０（５０Ａ）を棚板保持部２６に対して取外可能に取り付け可能なように、キャップ部材５０（５０Ａ）や棚板保持部２６を適宜、変形するようにしてもよい。
【符号の説明】
【００８８】
１            回転収納装置（収納装置）
２            箱体
１３          回転軸（上下方向に沿う軸）
２１          枠体
２４          縦枠部
２６          棚板保持部
３０，３０Ｃ  棚板
４０          吊下部材
４１          棒状係合部
４３          第１棒状吊下部（吊下部）
４５          第２棒状吊下部
５０，５０Ａ  キャップ部材
５６          係合凹部
５８          外側カバー部
【図１】
2014221090.tif 000003
【図２】
2014221090.tif 000004
【図３】
2014221090.tif 000005
【図４】
2014221090.tif 000006
【図５】
2014221090.tif 000007
【図６】
2014221090.tif 000008
【図７】
2014221090.tif 000009